(57)【要約】【課題】  壁高欄用足場を壁高欄に安全かつ容易に設置することができる、壁高欄用足場設置装置を提供する。【解決手段】  壁高欄用足場１０を横倒しの状態で載置して搬送するための台車２と、台車２から壁高欄１００上を経て当該壁高欄１００の外側に延出されており壁高欄用足場１０の梯子固定部１３側を壁高欄１００の外側までスライド可能とし、かつ揺動可能に支持する固定部側ガイドレール３と、壁高欄用足場１０を固定部側ガイドレール３に沿って壁高欄１００の外側にスライド移動させる際に壁高欄用足場１０の作業床１４側を吊り上げるとともに、スライド移動後に壁高欄用足場１０の作業床１４側を吊り下げながら固定部側ガイドレール３を支点として壁高欄用足場１０を回転させて梯子固定部１３を壁高欄１００に固定する昇降クレーン５とを有する。【選択図】  図１
2020002555.tif 000002
【特許請求の範囲】
【請求項１】
高架橋や橋梁の点検・補修作業のための足場を壁高欄に設置するための壁高欄用足場設置装置であって、
壁高欄用足場を横倒しの状態で載置して搬送するための台車と、
前記台車から前記壁高欄上を経て当該壁高欄の外側に延出されており前記壁高欄用足場の梯子固定部側を前記壁高欄の外側までスライド可能とし、かつ揺動可能に支持する固定部側ガイドレールと、
前記壁高欄用足場を前記固定部側ガイドレールに沿って前記壁高欄の外側にスライド移動させる際に前記壁高欄用足場の作業床側を吊り上げるとともに、スライド移動後に前記壁高欄用足場の作業床側を吊り下げながら前記固定部側ガイドレールを支点として前記壁高欄用足場を回転させて前記梯子固定部を前記壁高欄に固定する昇降クレーンと
を有する、前記壁高欄用足場設置装置。
【請求項２】
前記台車から前記壁高欄上まで延出されて前記壁高欄用足場の作業床側を前記壁高欄上までスライド可能に支持する作業床側ガイドレールを有しているとともに、当該作業床側ガイドレールに沿って前記昇降クレーンをスライド可能に配置している、請求項１に記載の壁高欄用足場設置装置。
【発明の詳細な説明】
【技術分野】
【０００１】
本発明は、高架橋や橋梁の点検作業や補修作業のための足場を壁高欄に設置するための壁高欄用足場設置装置に関するものである。
【背景技術】
【０００２】
高速道路等の高架橋や橋梁に用いられるコンクリートや鉄骨は、風雨や紫外線に曝されることにより経年劣化や腐食により強度が低下する。このため、高架橋や橋梁は定期的な点検を行って適切な補修作業を実施する必要がある。高架橋や橋梁の点検・補修作業の際には、前記高架橋や前記橋梁の外側面に仮設の足場が設置される。
【０００３】
このような、高架橋や橋梁に設置される仮設の足場として、特開２０１５−２２４５１４号公報では、高欄の上端部に取付けられる梯子固定枠と、この梯子固定枠に懸吊され、高欄の外側面に沿って垂下する梯子とを有し、前記梯子は、昇降空間を囲む保護枠と、前記昇降空間の下部に作業床を形成する作業床形成部材とを備え、前記保護枠および前記作業床形成部材は、昇降空間を潰して梯子の昇降面に沿って延びる格納位置に変位するように、前記梯子の支柱に枢動可能に連結される高欄用足場装置が提案されている（特許文献１）。
【先行技術文献】
【特許文献】
【０００４】
【特許文献１】特開２０１５−２２４５１４号公報
【発明の概要】
【発明が解決しようとする課題】
【０００５】
しかしながら、特許文献１に記載された発明においては、複数の作業員の手によって高欄用足場装置を運搬し、壁高欄より高い位置まで持ち上げ、前記壁高欄の外側面に沿って垂直に設置しなければならず、設置作業が困難であるという問題がある。特に、高速道路の高架橋や橋梁に設置する場合には、安全性の確保のため交通規制が必要となる。例えば、４車線で計画された道路のうちの２車線のみを暫定的に供用するいわゆる暫定２車線区間では路肩規制では幅(壁高欄から走行車線までの幅)が非常に狭いことから、通行止めによる交通規制を余儀なくされている。
【０００６】
本発明は、以上のような問題点を解決するためになされたものであって、壁高欄用足場を壁高欄に安全かつ容易に設置することができる、壁高欄用足場設置装置を提供することを目的としている。
【課題を解決するための手段】
【０００７】
本発明に係る壁高欄用足場設置装置は、壁高欄用足場を壁高欄に安全かつ容易に設置するという課題を解決するために、高架橋や橋梁の点検・補修作業のための足場を壁高欄に設置するための壁高欄用足場設置装置であって、壁高欄用足場を横倒しの状態で載置して搬送するための台車と、前記台車から前記壁高欄上を経て当該壁高欄の外側に延出されており前記壁高欄用足場の梯子固定部側を前記壁高欄の外側までスライド可能とし、かつ揺動可能に支持する固定部側ガイドレールと、前記壁高欄用足場を前記固定部側ガイドレールに沿って前記壁高欄の外側にスライド移動させる際に前記壁高欄用足場の作業床側を吊り上げるとともに、スライド移動後に前記壁高欄用足場の作業床側を吊り下げながら前記固定部側ガイドレールを支点として前記壁高欄用足場を回転させて前記梯子固定部を前記壁高欄に固定する昇降クレーンとを有する。
【０００８】
また、本発明の一態様として、壁高欄用足場を壁高欄の外側まで安全かつ容易にスライド移動させるという課題を解決するために、前記台車から前記壁高欄上まで延出されて前記壁高欄用足場の作業床側を前記壁高欄上までスライド可能に支持する作業床側ガイドレールを有しているとともに、当該作業床側ガイドレールに沿って前記昇降クレーンをスライド可能に配置してもよい。
【発明の効果】
【０００９】
本発明によれば、高欄用足場を壁高欄に安全かつ容易に設置することができる。
【図面の簡単な説明】
【００１０】
【図１】本発明に係る壁高欄用足場設置装置の一実施形態であって壁高欄用足場を載置した状態を示す斜視図である。
【図２】本実施形態により壁高欄に設置した壁高欄用足場を示す斜視図である。
【図３】本実施形態の壁高欄用足場設置装置を運搬車の荷台に搭載した状態を簡略的に示す斜視図である。
【図４】図３に示す状態の壁高欄用足場設置装置を運搬車の荷台から車外に引き出して折り畳まれた前輪脚部を開脚させた状態を示す斜視図である。
【図５】図４に示す状態からさらに車外に引き出して折り畳まれた後輪脚部を開脚させた状態を示す斜視図である。
【図６】本実施形態における高さ調整手段によって載置した壁高欄用足場の位置を高く持ち上げた状態を示す斜視図である。
【図７】本実施形態における固定部側ガイドレールおよび作業床側ガイドレールを壁高欄に設置した状態を示す斜視図である。
【図８】図７に示す状態であって壁高欄の内側（道路側）から見た状態を示す斜視図である。
【図９】本実施形態における壁高欄用足場を固定部側ガイドレールおよび作業床側ガイドレールに沿って壁高欄の上方にスライドさせて昇降クレーンを設置した状態を示す斜視図である。
【図１０】図９に示す状態であって壁高欄の内側から見た状態を示す斜視図である。
【図１１】本実施形態における昇降クレーンにより壁高欄用足場の作業床側を吊り上げた状態を示す斜視図である。
【図１２】図１１に示す状態であって壁高欄の内側から見た状態を示す斜視図である。
【図１３】本実施形態における壁高欄用足場を吊り上げ固定部側ガイドレールに沿って壁高欄の外側までスライド移動させた状態を示す斜視図である。
【図１４】図１３に示す状態であって壁高欄の内側から見た状態を示す斜視図である。
【図１５】本実施形態における昇降クレーンにより壁高欄用足場の作業床側を吊り下げて前記高欄用足場の梯子固定部を壁高欄の上端部に嵌め入れた状態を示す斜視図である。
【図１６】図１５に示す状態であって壁高欄の内側から見た状態を示す斜視図である。
【発明を実施するための形態】
【００１１】
以下、本発明に係る壁高欄用足場設置装置の一実施形態について図面を用いて説明する。
【００１２】
本実施形態の壁高欄用足場設置装置１は、図１に示すように、壁高欄用足場１０を壁高欄１００に設置するための装置であって、壁高欄用足場１０を載置する台車２と、この台車２から延出された固定部側ガイドレール３と、前記台車２から延出された作業床側ガイドレール４と、前記壁高欄用足場１０の作業床１４側を昇降させる昇降クレーン５とを有する。
【００１３】
ここで、本実施形態の壁高欄用足場設置装置１に載置される壁高欄用足場１０の構成について簡単に説明する。
【００１４】
壁高欄用足場１０は、図２に示すように、壁高欄１００の外側面に吊設されて高架橋や橋梁の点検・補修作業のための足場となるものであり、主として、作業時に作業員が高架橋等の外側面に沿って昇降するための梯子部１１と、作業員の落下を防止のため前記梯子部１１を囲む安全柵１２と、前記梯子部１１を壁高欄１００に固定するための梯子固定部１３と、前記梯子部１１の下端に設けられて作業スペースとなる作業床１４とから構成されている。
【００１５】
前述した壁高欄用足場１０の各構成のうち、前記梯子部１１には、壁高欄用足場設置装置１の固定部側ガイドレール３および作業床側ガイドレール４を受ける位置にそれぞれレール受部１５が設けられている。梯子固定部１３側のレール受部１５は固定部側ガイドレール３による回転支点となりうるように半円筒状に形成されている。また、梯子部１１は、高架橋や橋梁の構造に応じて高さ方向や幅方向に伸縮可能に構成してもよい。
【００１６】
梯子固定部１３は、門形または逆コの字状に形成されて壁高欄１００の上端部に嵌め込むように構成されている。また、安全柵１２は、金属棒等からなるフレーム材により構成されている。なお、安全柵１２は、フレーム材からなるものに限定されるものではなく、ロープや鎖等から構成されていてもよい。
【００１７】
作業床１４は、作業員が点検作業や補修作業を行うための作業スペースであり、梯子部１１の下端部に略水平に形成されており、安全柵１２に包囲された昇降スペースより高架橋や橋梁側に延出された部分は前記梯子部１１に沿って折り畳めるように構成されている。
【００１８】
次に、本実施形態の壁高欄用足場設置装置１の各構成について詳細に説明する。
【００１９】
台車２は、壁高欄用足場１０を横倒しの状態で載置し、所定の場所まで搬送するためのものであり、本実施形態では、前記壁高欄用足場１０を載置する台車本体２１と、この台車本体２１の下面側に設けられる車輪部２２とを有する。
【００２０】
台車本体２１は、横倒し状態の壁高欄用足場１０を搭載可能な寸法に形成されている。本実施形態では、図３に示すように、搭載された壁高欄用足場１０とともに搬送車２００の荷台に搭載可能な寸法に形成されている。なお、車輪部２２は、搬送車２００の荷台に搭載し易くするため折り畳み可能な構成を備えており、前記搬送車２００から降ろされる際には、図４および図５に示すように、開脚するようになっている。車輪部２２の具体的な構成については後述する。
【００２１】
本実施形態の台車本体２１は、壁高欄１００やこの壁高欄１００に設置される雪庇防止柵（図示しない）の高さに応じて、図６に示すように、壁高欄用足場１０を任意の高さに昇降可能とするため、ジャッキ機能を有する高さ調整手段２３を備えている。具体的には、台車本体２１は略矩形状に形成された上方枠材２４と、略同形状の下方枠材２５と、これら上方枠材２４および下方枠材２５の間に設けられる高さ調整手段２３とを有する。この高さ調整手段２３は、２枚の枠状の中間枠材２６で構成されており、互いに略Ｘ字状に回動自在に連結されているとともに、それぞれの上下端部が前記上方枠材２４と前記下方枠材２５に連結されている。そして、２枚の中間枠材２６のうち、一方の上下端部が前記下方枠材２５および前記上方枠材２４の端部に回動自在に設けられているとともに、他方の上下端部が前記下方枠材２５および前記上方枠材２４に沿ってスライド可能に連結されている。これにより油圧ジャッキ等を使って中間枠材２６の下端部をスライド移動させることで前記上方枠材２４が昇降するようになっている。
【００２２】
なお、高さ調整手段２３は、前述した構成に限定されるものでなく、例えば、滑車やロープによる吊り上げ機構や上下方向に螺進させるネジ機構等から適宜選択してもよい。
【００２３】
車輪部２２は、壁高欄用足場１０を台車２に乗せて作業現場まで搬送するためのものであり、台車本体２１の下面に設けられている脚部２７と、この脚部２７の先端に回転自在に軸支されている車輪２８とを有する。本実施形態における脚部２７は、台車本体２１の前方側に設置される一対の前脚部２７ａと後方側に設置される一対の後脚部２７ｂとを有し、それぞれ台車本体２１に折り畳み可能に構成されている。つまり、図３ないし図５に示すように、搬送車２００の荷台に搭載される際には、前脚部２７ａおよび後脚部２７ｂが前記台車本体２１の下面に沿って畳まれるとともに、前記搬送車２００の荷台から降ろされる際にはそれぞれが開脚するようになっている。
【００２４】
固定部側ガイドレール３は、台車２に載置された壁高欄用足場１０の梯子固定部１３側を揺動可能に支持し、壁高欄１００の外側までスライド移動させるものである。本実施形態では、壁高欄用足場１０に設けられたレール受部１５に対してスライド容易でかつ揺動自在に支持するため、円筒状ないし円柱状に形成されている。また、先端部には、壁高欄用足場１０が先端から滑り落ちないように、レールの外径よりも大径に形成されたストッパー用突起３１が設けられている。
【００２５】
この固定部側ガイドレール３は、図７および図８に示すように、台車２から壁高欄１００上を経て当該壁高欄１００の外側に延出可能な長さを有している。図示しないが、本実施形態では、外径の異なる管同士を重ね合わせてなる多重管構造とすることで搬送時などにおいては台車２の幅に収まる長さに収縮し、壁高欄用足場１０を壁高欄１００に設置する際には前記壁高欄１００の外側まで伸張するように構成されている。
【００２６】
なお、固定部側ガイドレール３は、伸縮可能なものに限定されるものではなく、例えば、延長用のレール材を台車２に固定されたレール材に連結させることで、壁高欄１００上を経て当該壁高欄１００の外側まで延出させるようにしてもよい。
【００２７】
作業床側ガイドレール４は、台車２に載置された壁高欄用足場１０の作業床１４側を支持し、図９および図１０に示すように、壁高欄１００上までスライド移動させるためのものである。後述するように、壁高欄用足場１０は壁高欄１００の外側までスライド移動された後に、作業床１４側を吊り下げる必要がある。よって、作業床側ガイドレール４は、固定部側ガイドレール３とは異なり、壁高欄１００の外側ではなく前記壁高欄１００の真上まで伸張されるように設置されている。
【００２８】
また、本実施形態における作業床側ガイドレール４は、固定部側ガイドレール３と同様に、壁高欄用足場１０に設けられたレール受部１５がスライドし易くするため、円筒状ないし円柱状に形成されているとともに、台車２から壁高欄１００上まで伸縮可能または延長可能に構成されている。そして、その先端部にはレールの外径よりも大径に形成されたストッパー用突起４１が設けられている。
【００２９】
昇降クレーン５は、壁高欄用足場１０を壁高欄１００の外側に移動させた後に作業床１４側を昇降させるためのものであり、本実施形態では、図９ないし図１２に示すように、主として、壁高欄用足場１０を吊設するための腕となるブーム５１と、このブーム５１を支える支柱部５２と、前記ブーム５１の先端部および基端部に設けられる滑車５３にかけられたロープ５４を巻き取るウインチ５５とを有する。
【００３０】
支柱部５２は、垂直に立てられる本支柱５６と、この本支柱５６を左右斜めから支持する２本の傾斜支柱５７とで構成されており、前記本支柱５６の上端部にブーム５１が連結されている。前記ブーム５１は支柱部５２に支持されながらその先端部を壁高欄１００の外側に延出される。また、前記ブーム５１の先端部および基端部には、壁高欄用足場１０を昇降させるロープ５４をかける滑車５３が設けられている。
【００３１】
また、本実施形態におけるブーム５１および支柱部５２は、各上端部がピン５８によって回動自在に連結されており、前記ピン５８を支点として折り畳まれるようになっている。これにより、搬送時には、図７および図８に示すように、折り畳まれるとともに横倒しされた状態で台車２に搭載される。
【００３２】
また、支柱部５２は、図９および図１０に示すように、横倒しされた状態から立ち上げた際に、作業床側ガイドレール４および当該作業床側ガイドレール４に沿って両サイドに設置される補助ガイドレール６に対しスライド可能に設置される。各下端部には、壁高欄用足場１０と同様、各下端部にレール受部５９が設けられている。そして、本支柱５６が前記作業床側ガイドレール４に沿ってスライド移動れることで、図１１および図１２に示すように、支柱部５２は折り畳まれた状態から展開された状態になる。
【００３３】
ウインチ５５は、ロープ５４を巻き上げたり巻き戻したりするためのものであり、本実施形態では手巻き式のウインチ５５が２本の傾斜支柱５７の基端部に配置される。また、前記ロープ５４の先端には、図示しないがフックが設けられており、壁高欄用足場１０の作業床１４側に引っ掛けて吊り上げられるようになっている。なお、ロープ５４と壁高欄用足場１０との連結はフックによるものに限定されるものではなく、例えばロープ５４を壁高欄用足場１０に括り付けて連結してもよい。
【００３４】
また、本実施形態における昇降クレーン５は、図１３および図１４に示すように、作業床１４側を吊り上げた状態で壁高欄用足場１０を壁高欄１００の外側までスライドさせる際に、前記壁高欄用足場１０とともに作業床側ガイドレール４に沿ってスライドされるようになっている。
【００３５】
なお、昇降クレーン５は、搬送時に台車２に搭載されるものに限定されるものではなく、台車２とは別体に構成して搬送し、使用時に前記台車２に搭載するようにしてもよい。また、昇降クレーン５は、スライド可能なものに限定されるものではなく、例えば、ブーム５１を伸縮可能な構成にしてもよい。
【００３６】
次に、本実施形態の壁高欄用足場設置装置１における各構成の作用について壁高欄用足場１０の設置手順に沿って説明する。
【００３７】
本実施形態の壁高欄用足場設置装置１は、図３に示すように、壁高欄用足場１０を台車２に横倒し状態で載置する。そして、台車２の車輪部２２を折り畳み、搬送車２００の荷台に搭載される。そして、壁高欄用足場１０を設置する高架橋や橋梁の対象現場近傍まで搬送車２００に搭載されたまま搬送される。
【００３８】
対象現場近傍に到着すると、壁高欄用足場１０を載置させたままの壁高欄用足場設置装置１を搬送車２００の荷台から降ろす。本実施形態では、図４に示すように、台車２を車外に引き出して折り畳まれた前脚部２７ａを開脚させ、さらに引き出して、図５に示すように、後脚部２７ｂを開脚させる。
【００３９】
次に、壁高欄用足場１０を載置した壁高欄用足場設置装置１を対象現場の壁高欄１００に横付けする。本実施形態では台車２に車輪２８が設けられているため、作業員一人でも対象現場まで押して移動させることができる。ここで、台車２は、図６に示すように、壁高欄１００の高さに応じて高さ調整手段２３により高さを調整する。
【００４０】
次に、図７および図８に示すように、固定部側ガイドレール３を伸張して壁高欄１００上を経て当該壁高欄１００の外側まで延出し、作業床側ガイドレール４を壁高欄１００上まで伸張する。そして、図９およぶ図１０に示すように、壁高欄用足場１０を固定部側ガイドレール３および作業床側ガイドレール４に沿って壁高欄１００上までスライド移動させる。当該壁高欄用足場１０は、固定部側ガイドレール３および作業床側ガイドレール４に沿って安全かつ容易に移動できるため、作業員一人でもスライド移動させられる。また、作業床側ガイドレール４の先端部にはストッパー用突起４１が設けられているため、壁高欄用足場１０が壁高欄１００の外側に滑り落ちることを防止している。
【００４１】
次に、昇降クレーン５を台車２に設置し、壁高欄用足場１０の作業床１４側を吊り上げる。本実施形態では、図９および図１０に示すように、横倒しされた状態の昇降クレーン５を立ち上げ、支柱部５２の下端部に設けられたレール受部５９を作業床側ガイドレール４および補助ガイドレール６を固定部側ガイドレール３および作業床側ガイドレール４に嵌め入れスライド可能に設置する。
【００４２】
また、図１１および図１２に示すように、本支柱５６を前記作業床側ガイドレール４に沿ってスライドさせることで折り畳んだ状態から展開する。そして、ロープ５４の先端に設けたフックを壁高欄用足場１０の作業床１４側に掛止させ、ウインチ５５を巻き上げることで前記壁高欄用足場１０の作業床１４側を吊り上げる。
【００４３】
壁高欄用足場１０は、図１３および図１４に示すように、昇降クレーン５に吊り上げられた状態で壁高欄１００の外側までスライド移動される。壁高欄用足場１０の作業床１４側は昇降クレーン５に吊り上げられているため作業床側ガイドレール４の先端部のストッパー用突起４１に引っ掛からずに壁高欄１００の外側に移動される。このとき、昇降クレーン５が作業床側ガイドレール４に沿って壁高欄用足場１０とともにスライドするため、壁高欄用足場１０の作業床１４側は吊り上げられた状態で壁高欄１００の外側までスライド移動できる。つまり、壁高欄用足場１０を壁高欄１００の外側までスライド移動させるには、壁高欄用足場１０を外側に向けて押すだけでよく、一人で作業することができる。また、壁高欄用足場１０は、固定部側ガイドレール３の先端部のストッパー用突起３１に引っ掛かるため、押しすぎて壁高欄１００の外側に落下させることはない。
【００４４】
その後、図１５および図１６に示すように、昇降クレーン５によって壁高欄１００の外側までスライド移動された壁高欄用足場１０の作業床１４側を吊り下げる。具体的には、ウインチ５５を巻き上げ方向とは逆方向に回転させ、連結しているロープ５４を弛ませて壁高欄用足場１０の作業床１４側を徐々に降下させる。このとき作業床側ガイドレール４が壁高欄１００の外側までは伸張されていないため、壁高欄用足場１０の作業床１４側を前記作業床側ガイドレール４の高さよりも吊り下げることができる。これに対し、梯子固定部１３側は固定部側ガイドレール３に係止されている。よって、壁高欄用足場１０全体は前記固定部側ガイドレール３を支点として回動する。
【００４５】
壁高欄用足場１０の回転に伴って梯子固定部１３を壁高欄１００の上端部に嵌め入れられる。これにより、前記壁高欄用足場１０は前記壁高欄１００に固定される。そして、ロープ５４のフックを壁高欄用足場１０から外すとともに固定部側ガイドレール３および作業床側ガイドレール４を縮めて壁高欄１００から外す。これにより、図２に示すように、壁高欄用足場１０の設置が完了する。
【００４６】
以上のような本実施形態の壁高欄用足場設置装置１によれば、以下の効果を奏することができる。
１．高架橋や橋梁の壁高欄１００に壁高欄用足場１０を安全かつ容易に設置することができる。
２．壁高欄用足場１０を複数人で持ち上げる必要なく、設置作業に必要な壁高欄用足場１０のスライド移動や昇降クレーン５による吊り上げ・吊り下げ作業を一人または少人数で行うことができる。
３．搬送車２００の荷台に積むことができるため、壁高欄用足場１０を設置する対象現場へ搬送することも簡単である。
４．暫定２車線区間等の路肩規制の幅の狭い場所でも設置作業が容易であり、通行止めなどの交通規制を行わなくても設置できる。
【００４７】
なお、本発明に係る壁高欄用足場設置装置は、前述した実施形態に限定されるものではなく、適宜変更することができる。例えば、台車２の高さ調整手段２３は台車本体２１側ではなく、脚部２７を伸縮可能な構成や前記脚部２７の開脚の角度を任意の角度で固定可能な構成にしてもよい。また、高さ調整手段２３や昇降クレーン５の動力は、手動のものに限定されるものではなく、電気モータ等の機械的な動力を用いてもよい。
【符号の説明】
【００４８】
１  壁高欄用足場設置装置
２  台車
３  固定部側ガイドレール
４  作業床側ガイドレール
５  昇降クレーン
６  補助ガイドレール
１０  壁高欄用足場
１１  梯子部
１２  安全柵
１３  梯子固定部
１４  作業床
１５  レール受部
２１  台車本体
２２  車輪部
２３  高さ調整手段
２４  上方枠材
２５  下方枠材
２６  中間枠材
２７  脚部
２７ａ  前脚部
２７ｂ  後脚部
２８  車輪
３１  ストッパー用突起
４１  ストッパー用突起
５１  ブーム
５２  支柱部
５３  滑車
５４  ロープ
５５  ウインチ
５６  本支柱
５７  傾斜支柱
５８  ピン
５９  レール受部
１００  壁高欄
２００  搬送車
【図１】
2020002555.tif 000003
【図２】
2020002555.tif 000004
【図３】
2020002555.tif 000005
【図４】
2020002555.tif 000006
【図５】
2020002555.tif 000007
【図６】
2020002555.tif 000008
【図７】
2020002555.tif 000009
【図８】
2020002555.tif 000010
【図９】
2020002555.tif 000011
【図１０】
2020002555.tif 000012
【図１１】
2020002555.tif 000013
【図１２】
2020002555.tif 000014
【図１３】
2020002555.tif 000015
【図１４】
2020002555.tif 000016
【図１５】
2020002555.tif 000017
【図１６】
2020002555.tif 000018